(57)【特許請求の範囲】
【請求項１】
撮影光学系の焦点距離を変更する変更手段と、
前記撮影光学系の焦点距離の変更を指示する操作手段と、
前記撮影光学系による画像および該画像の所定の範囲を示す指標を表示可能な表示手段と、
前記操作手段による前記焦点距離の変更の指示に対し、前記変更手段による前記焦点距離の変更を禁止した状態で、前記表示手段に表示された前記指標の前記表示手段の表示領域に対する大きさを前記操作手段によって指示された焦点距離に対応するように変化させる制御手段とを有し、
前記指標の大きさは、前記画像において、前記操作手段で指示された前記撮影光学系の焦点距離における撮影範囲に相当し、
前記制御手段は、前記操作手段が操作され前記焦点距離の変更が指示されると、前記撮影光学系の焦点距離を前記変更手段によって第１の焦点距離から変更することを禁止した状態で、前記指標の大きさを前記操作手段で指示された前記撮影光学系の焦点距離に対応する撮影範囲となるように前記操作手段の操作量と前記撮影光学系の位置とに基づいて前記表示手段の表示領域に対して小さく変化させたのち、レリーズボタンが操作されると前記焦点距離の変更の禁止を解除して前記指標の大きさが前記表示手段の表示領域と一致する大きさとなるように前記変更手段によって前記撮影光学系を移動させて前記撮影光学系の焦点距離を前記第１の焦点距離から第２の焦点距離へ変更し、その後さらに前記操作手段が操作されると、前記変更手段による前記第２の焦点距離からの前記撮影光学系の焦点距離の変更を禁止した状態で、前記指標の大きさを前記操作手段によって指示された焦点距離に対応するようにさらに変化させることが可能であることを特徴とするカメラ。
【請求項２】
前記指標の大きさは、前記変更手段による前記焦点距離の変更を禁止した状態で前記撮影光学系の広角端における撮影範囲の画角に相当する大きさから望遠端における撮影範囲の画角に相当する大きさに亘って変化させることができることを特徴とする請求項１に記載のカメラ。
【請求項３】
前記変更手段による前記焦点距離の変更を禁止した状態で、前記撮影光学系の前記望遠端における撮影範囲の画角に相当する大きさに対応する前記指標の範囲は、前記表示手段の表示領域の面積に比して１／９から１／１６程度の範囲であることを特徴とする請求項２に記載のカメラ。
【請求項４】
前記表示手段の表示領域には、前記撮影光学系による画像に対応する前記撮影光学系の焦点距離と、前記表示手段の表示領域に表示された前記指標の範囲に対応する焦点距離とを表示可能であることを特徴とする請求項１〜３の何れか一項に記載のカメラ。
【請求項５】
前記操作手段による前記焦点距離の変更の指示に対し、前記変更手段による前記焦点距離の変更を禁止せずに前記制御手段が前記変更手段を介して前記撮影光学系を変更して前記焦点距離を変更する制御に切替えることが可能なことを特徴とする請求項１〜４の何れか一項に記載のカメラ。
【発明の詳細な説明】
【技術分野】
【０００１】
本発明はカメラに関する。
【背景技術】
【０００２】
従来、実際の撮影領域よりも広い領域を観察できるファインダを設け、ファインダの視野よりも小さな撮影領域を示す撮影フレームをファインダ内に表示するカメラがある（例えば特許文献１参照。）。
【先行技術文献】
【特許文献】
【０００３】
【特許文献１】特許第２９４０１０１号公報
【発明の概要】
【発明が解決しようとする課題】
【０００４】
特許文献１のカメラにおいては、ファインダ内に表示された撮影フレームの大きさは固定されている。このため、撮影領域外の範囲が実際の撮影領域よりも視野率を広げた差分しかないため、撮影領域外のエリアが狭かった。
【０００５】
本発明はこのような状況に鑑みてなされたものであり、撮影領域外のエリアをより広く観察することができるカメラを提供することである。
【課題を解決するための手段】
【０００６】
本発明に係るカメラは、撮影光学系の焦点距離を変更する変更手段と、前記撮影光学系の焦点距離の変更を指示する操作手段と、前記撮影光学系による画像および該画像の所定の範囲を示す指標を表示可能な表示手段と、前記操作手段による前記焦点距離の変更の指示に対し、前記変更手段による前記焦点距離の変更を禁止した状態で、前記表示手段に表示された前記指標の前記表示手段の表示領域に対する大きさを前記操作手段によって指示された焦点距離に対応するように変化させる制御手段とを有し、前記指標の大きさは、前記画像において、前記操作手段で指示された前記撮影光学系の焦点距離における撮影範囲に相当し、前記制御手段は、前記操作手段が操作され前記焦点距離の変更が指示されると、前記撮影光学系の焦点距離を前記変更手段によって第１の焦点距離から変更することを禁止した状態で、前記指標の大きさを前記操作手段で指示された前記撮影光学系の焦点距離に対応する撮影範囲となるように前記操作手段の操作量と前記撮影光学系の位置とに基づいて前記表示手段の表示領域に対して小さく変化させたのち、レリーズボタンが操作されると前記焦点距離の変更の禁止を解除して前記指標の大きさが前記表示手段の表示領域と一致する大きさとなるように前記変更手段によって前記撮影光学系を移動させて前記撮影光学系の焦点距離を前記第１の焦点距離から第２の焦点距離へ変更し、その後さらに前記操作手段が操作されると、前記変更手段による前記第２の焦点距離からの前記撮影光学系の焦点距離の変更を禁止した状態で、前記指標の大きさを前記操作手段によって指示された焦点距離に対応するようにさらに変化させることが可能であることを特徴とする。
【発明の効果】
【０００７】
本発明によれば、撮影領域外のエリアをより広く観察することができるカメラを提供することができる。
【図面の簡単な説明】
【０００８】
【図１】実施形態に係るカメラを背面側から見た斜視図である。
【図２】実施形態に係るカメラの構成を示すブロック図である。
【図３】通常視野モードでのモニタの画像例であり、（ａ）は撮影光学系が広角端における画像、（ｂ）は望遠端における画像を示している。
【図４】実施形態に係るカメラの動作を示すフロー図である。
【図５】（ａ）は、広視野モードにおいて撮影光学系の焦点距離および撮影フレームに対応する焦点距離がともに２５ｍｍのときのモニタの画像例であり、（ｂ）はこのときのズームスイッチの状態を示す図である。
【図６】（ａ）は、広視野モードにおいて撮影光学系の焦点距離が２５ｍｍで、撮影フレームに対応する焦点距離が５５ｍｍのときのモニタの画像例であり、（ｂ）はこのときのズームスイッチの状態を示す図である。
【図７】（ａ）は、広視野モードにおいて撮影光学系の焦点距離が２５ｍｍで、撮影フレームに対応する焦点距離が８０ｍｍのときのモニタの画像例であり、（ｂ）はこのときのズームスイッチの状態を示す図である。
【図８】（ａ）は、広視野モードにおいて撮影光学系の焦点距離および撮影フレームに対応する焦点距離がともに８０ｍｍのときのモニタの画像例であり、（ｂ）はこのときのズームスイッチの状態を示す図である。
【図９】（ａ）は、広視野モードにおいて撮影光学系の焦点距離が８０ｍｍで、撮影フレームに対応する焦点距離が１２５ｍｍのときのモニタの画像例であり、（ｂ）はこのときのズームスイッチの状態を示す図である。
【図１０】ズームスイッチの形態を変更した実施例を背面側から見た斜視図である。
【発明を実施するための形態】
【０００９】
以下、本発明の一つの実施形態について図面を参照しつつ説明する。まず本実施形態に係るカメラの構成および機能の説明をする。
【００１０】
図１は本実施形態に係るカメラを背面側から見た斜視図である。
【００１１】
本実施形態に係るカメラ１は、本体部であるボディ部４と、ボディ部４に設けられたレンズ鏡筒７とから構成されるレンズ一体型デジタルカメラである。ボディ部４の上面にはレリーズボタン１０が配置されている。ボディ部４の背面にはモニタ１３、画角ロックスイッチ１６、ズームスイッチ１９が配置されている。この他にもボディ部４の上面および背面には、図示はしていないが、カメラ１の電源ボタン、機能の設定等のメニュー画面を表示するためのメニューボタン、メニューや撮影シーンの選択や決定等を行う十字キー等の公知のボタンおよびキーが配置されている。レンズ鏡筒７はボディ部４の正面に配置され、レンズ鏡筒７の内部には撮影光学系８が配置されている。撮影光学系８は複数のレンズ要素で構成され、ズームレンズ２０とオートフォーカス用の合焦レンズ２１とを含んでいる。本実施形態に係るカメラ１の撮影光学系８は、焦点距離が２５ｍｍから１２５ｍｍまでの範囲で変倍が可能となっている。
【００１２】
レリーズボタン１０は半押しすることによりＯＮされる半押しスイッチ（ＳＷ１、図２参照）と、全押しすることによりＯＮされる全押しスイッチ（ＳＷ２、図２参照）とから構成されている。モニタ１３は液晶画面であり、撮影時には被写体を動画で表示したり、記録済みの画像やメニュー画面等を表示したりすることができる。画角ロックスイッチ１６は、押下してＯＮ状態にすることにより撮影光学系８を広角端にロックするためのボタンである。また、カメラ１は画角ロックスイッチ１６がＯＮ状態であるかまたはＯＦＦ状態であるかにより、撮影モードが自動的に切替わるようになっている。画角ロックスイッチ１６がＯＦＦ状態のときは、撮影モードは通常視野モードであり、ＯＮ状態では後述するように広視野モードとなる。したがって、撮影者は画角ロックスイッチ１６を操作することにより好みの撮影モードで撮影をすることができる。
【００１３】
ズームスイッチ１９はスライド部２２を上下方向に移動させるスライド式になっている。なお、ズームスイッチ１９はスライド式に限られず、回転式等の他の方式でも構わない。ズームスイッチ１９にはスライド部２２が移動する範囲に亘って目盛り２５が付されており、スライド部２２の中心線２２ａが目盛り２５を指示するようになっている。目盛り２５は撮影光学系８の焦点距離を表している。目盛り２５の距離表示は撮影光学系８の広角端の焦点距離から望遠端の焦点距離に亘って１０ｍｍごとに付されている（図５〜９参照）。スライド部２２は目盛り２５の広角端から望遠端の間の任意の位置で保持することができる。ズームスイッチ１９は撮影モードによって作用が異なっている。通常視野モードでは、スライド部２２を移動させることによりズームレンズ２０が移動する。これにより撮影光学系８を広角側（ＷＩＤＥ側）および望遠側（ＴＥＬＥ側）に駆動させることができる。広視野モードでは、スライド部２２を移動させると、後述するように、モニタ１３に表示された撮影範囲を示す撮影フレームの大きさを変えることができる。
【００１４】
図２は本実施形態に係るデジタルカメラ１の構成を示すブロック図である。
【００１５】
制御部２８はＣＰＵ３１を含み、撮像部３４、ズーミング機構３７、オートフォーカス制御部４０、画像処理部４３、表示部４６、ＲＡＭ４９、ＲＯＭ５２、外部メモリ５５、内部メモリ５８、および操作部６１と接続され、これら各部を制御する。
【００１６】
撮像部３４は撮影光学系８と撮像素子６４と図示しないシャッターとを含んでいる。撮像素子６４はＣＣＤあるいはＣＭＯＳが用いられている。撮像素子６４は、撮影光学系８を通過して撮像素子６４に結像した被写体像を電気信号に変換し、画像処理部４３に出力する。画像処理部４３は撮像素子６４からの画像信号を処理して画像を生成する。
【００１７】
ズーミング機構３７はズーム用モータ６７を含んでいる。通常視野モードにおいては、ズーミング機構３７はズームスイッチ１９と連動しており、ズームスイッチ１９のスライド部２２を移動させると、制御部２８がズーム用モータ６７を介してズームレンズ２０を光軸方向に駆動し、撮影光学系８の焦点距離が変化する。撮影光学系８の焦点距離はスライド部２２を一方側（Ｗ側）の端部まで移動させると広角端となり、他方側（Ｔ側）の端部まで移動させると望遠端となる。ズームスイッチ１９に付された目盛り２５の表示距離と撮影光学系８の実際の焦点距離とは対応しており、制御部２８は、撮影光学系８の焦点距離がスライド部２２によって指示された目盛り２５の表示距離と同じ距離になるように、ズーム用モータ６７を介してズームレンズ２０を光軸方向に駆動する。したがって撮影者はズームスイッチ１９のスライド部２２を目盛り２５の表示距離に合わせることで撮影光学系８を所望の焦点距離に設定することができる。
【００１８】
本実施形態に係るカメラ１のオートフォーカス制御は、コントラスト検出方式である。オートフォーカス制御部４０はレリーズボタン１０を半押しにすることで作動する。レリーズボタン１０を半押しにするとＳＷ１がＯＮになり、オートフォーカス制御部４０はオートフォーカス用モータ７０を介して合焦レンズ２１を光軸方向に少しずつ駆動し、撮像素子６４で生成された画像信号のコントラストを変化させ、コントラストがピークとなる合焦レンズ２１の位置を検出する。コントラストがピークとなる位置を検出すると、その位置に合焦レンズ２１を保持する。なお、オートフォーカス制御は他の方式であっても良い。例えば位相差検出方式であっても良いし、あるいはコントラスト検出方式と位相差検出方式の双方を備えたものであっても良い。
【００１９】
画像処理部４３はＡ／Ｄ変換回路７３を含み、撮像部３４から出力された画像信号をデジタル信号に変換し、さらにその他の必要な画像処理を行い、モニタ１３に表示する画像や記録用の画像を生成する。生成された画像はＲＡＭ４９に一時的に記憶される。
【００２０】
表示部４６はモニタ１３と表示用ドライバ７６とを含み、表示用ドライバ７６は制御部２８からの指示によりモニタ１３に表示用の画像を表示させる。本実施形態に係るカメラ１は、撮像素子６４から連続して出力される画像信号を画像処理部４３が順次処理して生成した表示用の画像データをモニタ１３に連続して表示し、動画像として再生することが可能である。この連続してモニタ１３に表示される画像をスルー画像という。スルー画像は撮影光学系８が継続して捉えている画像がモニタ１３に連続して動画像として表示されているものである。スルー画像はカメラ１の電源を入れるとモニタ１３に表示され、撮影者はこのスルー画像を観察して撮影する写真の構図を決定することができる。
【００２１】
図３は、通常視野モードにおいてモニタ１３に表示されているスルー画像の例であり、（ａ）は撮影光学系８が広角端であるときの画像例であり、（ｂ）は望遠端であるときの画像例を示している。
【００２２】
モニタ１３には撮影光学系８が現在捉えている画像が表示されるので、ズームレンズ２０が駆動して撮影光学系８の焦点距離が変化すれば、モニタ１３に表示される画像もズームレンズ２０の駆動すなわち焦点距離の変化に応じて変化する。例えば図３に示す画面中央に表示されている一本の木を被写体７９として撮影しようとした時、撮影光学系８の焦点距離を広角端（本実施形態では２５ｍｍ）に設定すると、図３（ａ）に示すように、被写体７９は画面の中央に位置して小さく表示され、被写体７９の周辺は広い範囲に亘って画面に表示される。これに対し焦点距離を望遠端（本実施形態では１２５ｍｍ）に設定すると、図３（ｂ）に示すように、被写体７９は画面の中央に大きく表示され、被写体７９の周辺の範囲はあまり表示されない。通常視野モードではモニタ１３に表示された画像がほぼ撮影範囲となる。
【００２３】
また、通常視野モードにおいては、モニタ１３には、画面右上に撮影光学系８の現在の焦点距離が表示される。表示される焦点距離はズームスイッチ１９と連動しており、ズームスイッチ１９のスライド部２２を移動させて焦点距離を変更すると、スライド部２２が指示する目盛り２５の表示距離に合わせて焦点距離の表示も変化する。図３（ａ）では画面右上に「２５ｍｍ」が表示されているが、撮影光学系８の焦点距離を望遠端にすると、図３（ｂ）のように「１２５ｍｍ」が表示される。撮影者はこの表示により、モニタ１３に表示されている被写体７９から視線を大きく逸らすことなく撮影光学系８の現在の焦点距離を知ることができる。広視野モードでは、後述するように、撮影光学系８の現在の焦点距離の表示に加えて、撮影範囲に対応する焦点距離も表示される。
【００２４】
ＲＡＭ４９は、画像処理部４３が生成した表示用の画像や記録用の画像のデータを一時的に記憶しておくためのものである。ＲＯＭ５２はカメラ１の作動あるいは設定等のためのプログラムが記憶されている。外部メモリ５５は、画像ファイルを保存するための着脱可能なメモリカードである。内部メモリ５８はハードディスク等の大容量の記憶媒体である。操作部６１は上記したレリーズボタン１０、画角ロックスイッチ１６、ズームスイッチ１９、その他図示しない電源ボタン、十字キー等が含まれる。
【００２５】
次に、本実施形態に係るカメラ１の撮影動作について、図４に示すフロー図および図５〜図９に示すモニタ１３の画像例を参照して説明する。なお図５〜図９は、図３に示す一本の木を被写体７９とした画像例である。
【００２６】
本実施形態に係るカメラ１の撮影モードは、上述したように画角ロックスイッチ１６のＯＮ、ＯＦＦにより広視野モードと通常視野モードとの切替えができるようになっている。図４に示すフロー図のＳＴＡＲＴでカメラ１の電源をＯＮにした後、ステップＳ１０１で画角ロックスイッチ１６をＯＮにすると撮影モードは広視野モードとなり、画角ロックスイッチ１６を作動させない場合は通常視野モードとなる。まず通常視野モードでの動作について説明する。
【００２７】
カメラ１の電源をＯＮにすると（ＳＴＡＲＴ）、モニタ１３にはスルー画像が表示される。ステップＳ１０１では画角ロックスイッチ１６を作動させずにステップＳ１２１に進む。通常視野モードでは、モニタ１３に表示されるスルー画像がほぼ実際の撮影範囲となる。撮影者はズームスイッチ１９を操作することで撮影光学系８を望遠側または広角側に駆動させて（ステップＳ１２１）撮影光学系８の焦点距離を変化させる。モニタ１３に表示されるスルー画像は撮影光学系８の駆動に合わせて拡大あるいは縮小する。このようにして焦点距離を変化させて撮影画角（以後フレーミングともいう。）を決定する（ステップＳ１２２）。フレーミングが決定したらレリーズボタン１０を半押しする（ステップＳ１２３）。するとＳＷ１がＯＮとなり、オートフォーカス制御部４０はオートフォーカス用モータ７０を介して合焦レンズ２１を駆動させ、撮影光学系８を被写体７９に合焦させる（ステップＳ１２４）。その後レリーズボタン１０を全押し（ステップＳ１２５）するとＳＷ２がＯＮとなり、シャッター（図示省略）が作動して撮影が行われる（ステップＳ１２６）。
【００２８】
撮影が終了すると、制御部２８は撮影続行か否かの指示を待つ（ステップＳ１２７）。撮影を続行する場合はステップＳ１０１に戻り、続行しない場合はカメラ１の電源をＯＦＦにする（ステップＳ１２８）。電源をＯＦＦにすると、制御部２８は撮影光学系８が広角端となるようにズーム用モータ６７を介してズームレンズ２０を駆動し、その後カメラ１の電源が切れて撮影動作は終了となる。なお、ステップＳ１２２でフレーミングが確定しない場合、およびステップＳ１２４で撮影光学系８が被写体７９に合焦しない場合は、ステップＳ１０１に戻る。
【００２９】
次に広視野モードでの動作について説明する。
【００３０】
カメラ１の電源をＯＮ（ＳＴＡＲＴ）にした後、ステップＳ１０１で画角ロックスイッチ１６を押下してＯＮ状態にすると、カメラ１の撮影モードは広視野モードに切替わる。撮影モードが広視野モードに切替わると、制御部２８は撮影光学系８が広角端に位置していれば撮影光学系８をそのまま広角端でロックする。広角端に位置していない場合は、ズーミング機構３７を介して広角端となるように駆動し、広角端でロックする（ステップＳ１０２、Ｓ１０３）。このとき、ズームスイッチ１９のスライド部２２も自動的に最も広角側（２５ｍｍ）に移動する。また、制御部２８はズームスイッチ１９の撮影光学系８との連動を解除する。図５（ａ）、（ｂ）はこのときのモニタ１３の表示とズームスイッチ１９の状態を示す図である。撮影光学系８は広角端に位置しているので、モニタ１３には、図５（ａ）に示すように、最も広角のスルー画像が表示される。画面右上には撮影光学系８の現在の焦点距離「２５ｍｍ」が表示されている。
【００３１】
制御部２８は、ズームスイッチ１９の撮影光学系８との連動を解除すると、撮影光学系８の焦点距離をスライド部２２が指示している目盛り２５の表示距離と同じ距離にした場合の撮影範囲の画角を演算して求める。そして演算して求められた撮影範囲の画角に相当する大きさの視野枠を、表示用ドライバ７６を介してモニタ１３に表示する。つまり、現在モニタ１３に表示されているスルー画像を基準として、当該スルー画像全体のうち実際に撮影される範囲を示す撮影フレーム８２をモニタ１３に表示する（ステップＳ１０３）。撮影フレーム８２は、演算して求められた撮影範囲の画角の四隅に相当する部分が表示される。いま、ズームスイッチ１９のスライド部２２は画角ロックスイッチ１６をＯＮとすることで広角端に位置しているので、撮影フレーム８２は図５（ａ）に示すように、モニタ１３の最も外側に沿って表示される。
【００３２】
また、広視野モードでは、実際の撮影光学系８の焦点距離の表示に加えて、撮影フレーム８２に対応する焦点距離が、図５（ａ）に示すようにモニタ１３の中央上部に表示される。撮影フレーム８２に対応する焦点距離とは、表示された撮影フレーム８２を撮影範囲として撮影する場合の撮影光学系８の焦点距離である。撮影光学系８およびズームスイッチ１９が共に最も広角側の状態にあっては、現在の撮影光学系８の焦点距離と撮影フレーム８２に対応する焦点距離とは同じなので、図５（ａ）では同じ値（２５ｍｍ）が表示されている。
【００３３】
そして広視野モードにおいては、撮影光学系８を広角端にロックし、且つ最も広角のスルー画像をモニタ１３に表示させた状態で、撮影光学系８を望遠側に駆動させたとすると当該スルー画像に対して撮影範囲がどのように変化していくのかを、モニタ１３の表示上で確認することができる。具体的には、ズームスイッチ１９のスライド部２２を望遠側に移動させてスライド部２２が指示している目盛り２５の表示距離を変化させる。すると、制御部２８は、撮影光学系８の焦点距離をスライド部２２が指示している目盛り２５の表示距離としたときの撮影範囲の画角をスライド部２２の移動に従って順次演算し、演算して求められた撮影範囲の画角に相当する大きさの撮影フレーム８２を、表示用ドライバ７６を介してモニタ１３に順次表示する。つまり、現在モニタ１３に表示されているスルー画像を基準として、撮影光学系８の焦点距離を変化させた場合に、当該スルー画像全体のうち実際に撮影される範囲を示す撮影フレーム８２をモニタ１３に順次表示する。
【００３４】
当該動作をさらに詳細に説明する。撮影光学系８およびズームスイッチ１９のスライド部２２が広角端にある状態（ステップＳ１０３）から、撮影範囲を決めるためにズームスイッチ１９を操作する（ステップＳ１０４）。ズームスイッチ１９のスライド部２２を望遠側にスライドさせると（ステップＳ１０５）、制御部２８はスライド部２２の移動量から、スライド部２２が現在指示している目盛り２５の表示距離を順次検出する。そして制御部２８は、当該検出した目盛り２５の表示距離と、現在の撮影光学系８の位置とから、実際に撮影光学系８の焦点距離を当該検出した目盛り２５の表示距離と同じ距離にしたときに、現在モニタ１３に表示されているスルー画像において実際に撮影される範囲を演算する。そして制御部２８は、表示用ドライバ７６を介して、すでに表示されている撮影フレーム８２の大きさを演算の結果算出された撮影範囲の画角を示すように、スライド部２２の移動に合わせて連続的に変化させていく。つまり、図５（ａ）においてモニタ１３の画面の外枠に沿って表示されていた撮影フレーム８２は、スライド部２２の移動に連動してモニタ１３の画面の大きさに対して画面中心方向に向かって小さく変化する（ステップＳ１０７）。言い換えると、撮影フレーム８２は、ズームスイッチ１９のスライド部２２が指示する目盛り２５が示す表示距離に合わせて、その表示距離を焦点距離とした場合の撮影範囲の画角を示すように連続的に縮小していく。このとき撮影光学系８は広角端にロックされた状態なので、モニタ１３の画面全体に表示されているスルー画像は広角端のままで変化しない。なお、ステップＳ１０４でズームスイッチ１９を操作しない場合は、ステップＳ１１２に進む。
【００３５】
モニタ１３の中央上部に表示された撮影フレーム８２に対応する焦点距離の表示は、スライド部２２の移動に合わせて、撮影フレーム８２の大きさの変化とともに変化していく。したがって、撮影フレーム８２に対応する焦点距離の表示はスライド部２２の指示する目盛り２５の表示距離と同じ値が表示される。この状態において、実際の撮影光学系８は広角端でロックされているので、モニタ１３の画面右上に表示された撮影光学系８の焦点距離の表示は変化しない。
【００３６】
スライド部２２の移動を停止すると、撮影フレーム８２の大きさの変化も止まり、撮影フレーム８２はその時点でスライド部２２が指示している目盛り２５の表示距離に対応する撮影範囲の画角を示す大きさで表示される。図６（ａ）、（ｂ）は、ズームスイッチ１９のスライド部２２を目盛り２５の表示距離で５５ｍｍの位置で停止させたときのモニタ１３の表示およびズームスイッチ１９の状態を示す図である。図６（ａ）に示す撮影フレーム８２は、広角端のスルー画像において、焦点距離が５５ｍｍに対応する撮影範囲の画角を示す大きさで表示される。撮影フレーム８２の外側の領域は撮影範囲外であるがモニタ１３に表示されているので、撮影者は撮影範囲内と撮影範囲外とを同時にモニタ１３で観察することができる。これと同時に、撮影フレーム８２に示された撮影範囲を撮影する場合の焦点距離がモニタ１３に表示されるので、どの程度ズーミングした状態なのかを確認しながら構図を決定することができる。
【００３７】
この状態からズームスイッチ１９をさらに操作する（ステップＳ１０８）。ズームスイッチ１９のスライド部２２は望遠側と広角側にスライドさせることができるので、スライド部２２の望遠側への移動および広角側への移動に合わせて、撮影フレーム８２は小さくなったり大きくなったりする（ステップＳ１０９〜Ｓ１１１）。同時に撮影フレーム８２に対応する焦点距離の表示も変化する。撮影フレーム８２は撮影光学系８の焦点距離の望遠端に対応する撮影範囲の画角に相当する大きさから現在モニタ１３に表示されているスルー画像の画角に相当する大きさ、つまりこの場合にあっては広角端に対応する撮影範囲の画角に相当する大きさまで連続的に変化させることができる。なお、ステップＳ１０８でズームスイッチ１９を操作しない場合は、ステップＳ１１２に進む。
【００３８】
本実施形態のカメラ１は、広視野モードでモニタ１３に広角端のスルー画像が表示されている場合においてズームスイッチ１９のスライド部２２を望遠端まで移動させた時、撮影フレーム８２の大きさはモニタ１３の大きさの１／９から１／１６の大きさになるように設定されている。つまり、広角端のスルー画像の１／９から１／１６の大きさである。撮影フレーム８２の大きさがモニタ１３の画面と比べて小さすぎると撮影範囲内の構図が確認し難くなり、またモニタ１３の画面と比べて大きさがあまり変わらないと観察可能な撮影範囲外の領域が狭くなってしまう。こうして、撮影者は広角端におけるスルー画像の範囲の中で、望遠端に亘る任意の焦点距離における撮影範囲を確認し、同時に撮影範囲外の状況も観察することができる。しかも焦点距離を望遠側にするに従ってモニタ１３に撮影範囲外として表示される範囲が相対的に広くなり、より広い範囲を観察することが可能となる。その結果、構図の把握が容易となり、また、移動する被写体を撮影するときなど、レリーズするタイミングを計り易くなる。さらに撮影範囲内に自動車等の移動物が近づいてくることが確認でき、撮影の失敗を防止することができる。
【００３９】
モニタ１３を観察して構図、すなわち撮影範囲が決定したら、レリーズボタン１０を操作する。図７（ａ）、（ｂ）は、ズームスイッチ１９のスライド部２２を８０ｍｍに合わせたときのモニタ１３の表示とズームスイッチ１９の状態を示す図である。例えば図７（ａ）、（ｂ）に示す状態でフレーミングを確定し（ステップＳ１１２）、レリーズボタン１０を半押しする（ステップＳ１１３）。すると制御部２８は撮影光学系８のロック状態を一旦解除して可動状態にする。そして、撮影光学系８の焦点距離をズームスイッチ１９のスライド部２２が指示している表示距離（この場合８０ｍｍ）に一致させるようにズーミング機構３７のズームレンズ２０を駆動する（ステップＳ１１４）。つまり実際にズームレンズ２０を駆動して撮影光学系８を望遠側に駆動する。このとき、モニタ１３に表示されていた広角端のスルー画像は、ズームレンズ２０の駆動に伴い拡大される。同時に撮影フレーム８２も拡大する。スルー画像および撮影フレーム８２の拡大は、元のスルー画像に表示されていた撮影フレーム８２の範囲がモニタ１３の画面の大きさと一致する大きさとなるまで連続して拡大される。制御部２８はズームレンズ２０の駆動が終了すると、その状態で撮影光学系８を再度ロック状態にする。
【００４０】
また、レリーズボタン１０が半押しされているので、オートフォーカス制御部４０はオートフォーカス用モータ７０を介して合焦レンズ２１を駆動させ、撮影光学系８を被写体７９に合焦させる（ステップＳ１１５）。この状態において、モニタ１３の画面には、実際に撮影される範囲がスルー画像として表示されている。図８（ａ）、（ｂ）は、撮影光学系８が焦点距離８０ｍｍの位置まで駆動され、実際に撮影される範囲がスルー画像として表示されている状態のモニタ１３とズームスイッチ１９の状態を示す図である。モニタ１３には、撮影光学系８の現在の焦点距離と撮影される範囲に対応する焦点距離とが同じ距離（８０ｍｍ）で表示されている。
【００４１】
なお、ステップＳ１１２で撮影範囲が決定せず、再度フレーミングを行うときは、ステップＳ１０１またはステップＳ１０４に戻る。ステップＳ１０１に戻ったときは、画角ロックスイッチ１６をＯＦＦにして通常視野モードで撮影することもできる。ステップ１０４に戻ったときは、ステップＳ１０４以降のステップを繰り返す。
【００４２】
また、ステップＳ１１５で撮影光学系８が被写体に合焦せず、または、合焦はしたが再度フレーミングを行いたいときは、レリーズボタン１０の半押し状態を解除した後、ステップＳ１１６に進む。ステップＳ１１６以降は次のような動作となる。
【００４３】
まず撮影光学系８がステップＳ１１４で既に望遠端まで駆動しているときは、ステップＳ１０１に戻る。ステップＳ１０１に戻ったときは画角ロックスイッチ１６をＯＦＦにして通常視野モードで撮影することもできるし、画角ロックスイッチ１６を一旦ＯＦＦにした後再度ＯＮにして撮影光学系８を広角端に駆動してロックし（ステップＳ１０２、Ｓ１０３）、ステップＳ１０４以降の操作を繰り返して撮影することもできる。
【００４４】
次に撮影光学系８がＳ１１４で望遠端まで駆動していないときは、ステップＳ１０１またはステップＳ１０４に戻ることができる。ステップＳ１０１に戻ったときの動作は画角ロックスイッチ１６をＯＦＦにして通常視野モードで撮影することもできるし、あるいは画角ロックスイッチ１６を一旦ＯＦＦにした後再度ＯＮにして撮影光学系８を広角端に駆動してロックし（ステップＳ１０２、Ｓ１０３）、ステップＳ１０４以降を繰り返して撮影することもできる。
【００４５】
ステップＳ１０４に戻ったときは、撮影光学系８が広角端に位置している場合はステップＳ１０４からの動作を繰り返し、撮影光学系８が広角端に位置していない場合はステップＳ１０８からの動作を繰り返すこととなる。ステップＳ１０８以降のステップを繰り返す場合、撮影光学系８は、ステップＳ１１２で一旦確定した撮影範囲相当の画角になるようにステップＳ１１４において移動している。そしてモニタ１３にはステップＳ１１２で確定した撮影範囲がスルー画像として表示されている（図８（ａ）参照）。この場合、フレーミングは図８（ａ）に示すスルー画像を基準にして行うことができる。すなわち、現在の撮影光学系８の焦点距離よりも望遠側の範囲でフレーミングを行うことができる。したがってステップＳ１１０にあっては、撮影フレーム８２の拡大は、モニタ１３に表示されているスルー画像、すなわち焦点距離が８０ｍｍ相当の画角まで変化させることができる。図９（ａ）、（ｂ）は、撮影光学系８がステップＳ１１４で移動した後の再フレーミングにおいて、実際の撮影光学系８の焦点距離が８０ｍｍの時に、ズームスイッチ１９のスライド部２２を望遠端（１２５ｍｍ）まで移動させた時のモニタ１３の表示およびズームスイッチ１９の状態を示している。このように、本実施形態では撮影光学系８を当初の広角端の位置から望遠側に移動させ、その位置でのスルー画像を基準に再度撮影フレーム８２の大きさだけを変化させてフレーミングを行うことができる。
【００４６】
ステップＳ１１５で撮影光学系８が被写体７９に合焦した後、レリーズボタン１０が全押しされると（ステップＳ１１７）、図示しないシャッターが作動してモニタ１３に表示されている範囲が撮影され（ステップＳ１１８）、ステップＳ１１９に進む。そして、さらに撮影を続行する時はステップＳ１２０に進む。ステップＳ１２０以降の動作は、上記したステップＳ１１６以降の動作と同様となる。
【００４７】
ステップＳ１１９で撮影を続行しない時は、電源をＯＦＦにする（ステップＳ１２８）。電源をＯＦＦにすると制御部２８は撮影光学系８が広角端になるようにズームレンズ２０を駆動し、カメラ１の電源を切って撮影動作は終了する。
【００４８】
以上説明したように、本実施形態によれば、モニタ１３に撮影範囲を示す撮影フレーム８２が表示され、撮影光学系８の焦点距離を変えた場合すなわち画角を変えた場合の撮影範囲を撮影フレーム８２の大きさの変化で確認できるので、撮影者は構図をイメージし易くなる。さらに撮影者は実際の撮影範囲の周辺を広い範囲に亘ってモニタ１３で観察して撮影を行うことができる。その結果、フレーミングがし易くなり、特に動く被写体を望遠側で撮影するときなど、被写体の追尾がより容易になり、撮影チャンスを逃してしまうことも少なくなるという効果を奏する。また、フレーミング中は撮影光学系８を動かさずに画面に表示された撮影フレーム８２の大きさが変化するだけなので、省電力に貢献するという効果も奏する。
【００４９】
なお、本実施形態では、ズームスイッチ１９はスライド式であるが、図１０に示すようにダイヤル式のズームスイッチ１１９としても良い。この場合もダイヤルの周りには撮影光学系８の焦点距離を表す目盛り１２５が付されている。また、撮影光学系の変倍可能な焦点距離の範囲も上記実施形態に限定されることはない。
【００５０】
このように本発明は上記実施形態に限定されることはなく、適宜変更が可能である。
【符号の説明】
【００５１】
１  カメラ
４  ボディ部
７  レンズ鏡筒
８  撮影光学系
１０  レリーズボタン
１３  モニタ
１６  画角ロックスイッチ
１９  ズームスイッチ
２０  ズームレンズ
２１  合焦レンズ
２２  スライド部
２２ａ  中心線
２５  目盛り
２８  制御部
３１  ＣＰＵ
３４  撮像部
３７  ズーミング機構
４０  オートフォーカス制御部
４３  画像処理部
４６  表示部
４９  ＲＡＭ
５２  ＲＯＭ
５５  外部メモリ
５８  内部メモリ
６１  操作部
６４  撮像素子
６７  ズーム用モータ
７０  ＡＦ用モータ
７３  Ａ／Ｄ変換回路
７６  表示用ドライバ
７９  被写体
８２  撮影フレーム
【図１】
0005671856.tif 000002
【図２】
0005671856.tif 000003
【図３】
0005671856.tif 000004
【図４】
0005671856.tif 000005
【図５】
0005671856.tif 000006
【図６】
0005671856.tif 000007
【図７】
0005671856.tif 000008
【図８】
0005671856.tif 000009
【図９】
0005671856.tif 000010
【図１０】
0005671856.tif 000011